(57)【要約】    【課題】      発信者番号選択機能を持った構内交換機システムを備えることなく、電話機毎に契約者回線番号又は追加番号のいずれかを選択して発番号通知可能にすること。    【解決手段】  ＩＰ電話ゲートウェイ装置１００において、電話機の送出した発信要求を検出し、契約者回線番号及び追加番号の中から発番号通知に使用する番号を電話機毎に設定した発番号通知テーブルから、今回発信要求してきた電話機の発番号通知用として登録した番号を取得する。この取得した番号を含んだＩＮＶＩＴＥを生成し、ＩＰ網上に配置されＩＰ電話におけるネットワークホストの役目を行うＣＡサーバー１１に対して前記ＩＮＶＩＴＥを送出する。ＣＡサーバー１１はＩＮＶＩＴＥに含まれた発番号を着信Ｓ先の電話機に通知する。  【選択図】      図５
2005236917.tif 000002
【特許請求の範囲】
【請求項１】
複数の電話機を回線接続可能な回線インターフェース手段と、ＩＰ電話におけるネットワークホストの役目を行うサーバーが配置されたＩＰ網との間の通信を制御するネットワーク制御手段と、前記サーバーと連携したトランザクション制御にて前記電話機によるＩＰ網経由の通話を実現するＶｏＩＰ制御手段と、契約者回線番号及び追加番号の中から発番号通知に使用する番号を前記電話機毎に設定した発番号通知テーブルとを具備し、前記ＶｏＩＰ制御手段は、発信要求してきた電話機について発番号通知用として登録した番号を前記発番号通知テーブルから取得し、この取得した番号を含んだトランザクション開始リクエスト生成して前記サーバーへ送出するＩＰ電話ゲートウェイ装置。
【請求項２】
前記ＶｏＩＰ制御手段は、ＲＦＣ２５４３，３２６１に定められたＳＩＰ（Session Initiation Protocol）に従って動作し、前記発番号通知テーブルから取得した番号をＦｒｏｍヘッダに設定したＩＮＶＩＴＥを前記トランザクション開始リクエストとして生成することを特徴とする請求項１記載のＩＰ電話ゲートウェイ装置。
【請求項３】
電話機の送出した発信要求を検出し、契約者回線番号及び追加番号の中から発番号通知に使用する番号を電話機毎に設定した発番号通知テーブルから、今回発信要求してきた電話機の発番号通知用として登録した番号を取得し、この取得した番号を含んだトランザクション開始リクエストを生成し、ＩＰ網上に配置されＩＰ電話におけるネットワークホストの役目を行うサーバーに対して前記トランザクション開始リクエストを送出するＩＰ電話発番号通知方法。
【発明の詳細な説明】
【技術分野】
【０００１】
本発明は、ＩＰ電話機能を持たない電話機をＩＰ網経由で通信（通話を含む）可能にするＩＰ電話ゲートウェイ装置及びＩＰ電話発番号通知方法に関する。
【背景技術】
【０００２】
ＩＰ電話機能を持たない既存の電話機から通信事業者の提供するＩＰ電話サービスを利用する場合、ＩＰ電話ゲートウェイ装置を用いることができる。１台のＩＰ電話ゲートウェイ装置に対して複数台の電話機を接続可能に構成している。例えば、１台のＩＰ電話ゲートウェイ装置に対して複数の内線電話機（アナログ電話機等）を接続して、各内線電話機からＩＰ電話ゲートウェイ装置経由でＩＰ網に接続して外線通話することも可能である。
【０００３】
ところで、最近は通信事業者が発信者の契約電話番号を着信者に対して通知する発信者番号通知サービスを行っている。複数の内線電話機から特定のＩＰ電話ゲートウェイ装置経由でＩＰ網に接続するシステム構成において発番号通知を行おうとした場合、いずれの内線電話を使用してもＩＰ電話ゲートウェイ装置の契約者回線番号が着信側に通知されることとなる。
【０００４】
なお、構内交換機に収容された内線電話機から局線にダイヤル発信する場合に着信側に通知される発信者番号の通知を内線電話機が接続される局線に拘わらず、任意の発信者番号を選択して通知できる構内交換機システムがある（例えば特許文献１参照）。
【特許文献１】特開２００３−１９９１３２号公報
【発明の開示】
【発明が解決しようとする課題】
【０００５】
しかしながら、１台のＩＰ電話ゲートウェイ装置に対して契約者回線番号の他に複数の追加番号を取得できる場合、そこに接続される電話機毎に契約者回線番号又は追加番号のいずれかを選択して発番号通知に使用したくても、契約者回線番号しか使用できていなかった。
【０００６】
本発明は、以上のような実情に鑑みてなされたもので、発信者番号選択機能を持った構内交換機システムを備えることなく、電話機毎に契約者回線番号又は追加番号のいずれかを選択して発番号通知に使用可能なＩＰ電話ゲートウェイ装置及びＩＰ電話発番号通知方法を提供することを目的とする。
【課題を解決するための手段】
【０００７】
本発明は、電話機の送出した発信要求を検出し、契約者回線番号及び追加番号の中から発番号通知に使用する番号を電話機毎に設定した発番号通知テーブルから、今回発信要求してきた電話機の発番号通知用として登録した番号を取得し、この取得した番号を含んだトランザクション開始リクエストを生成し、ＩＰ網上に配置されＩＰ電話におけるネットワークホストの役目を行うサーバーに対して前記トランザクション開始リクエストを送出するものである。
【発明の効果】
【０００８】
本発明によれば、発信者番号選択機能を持った構内交換機システムを備えることなく、電話機毎に契約者回線番号又は追加番号のいずれかを選択して発番号通知に使用可能なＩＰ電話ゲートウェイ装置及びＩＰ電話発番号通知方法を提供できる。
【発明を実施するための最良の形態】
【０００９】
本発明の第１の態様は、複数の電話機を回線接続可能な回線インターフェース手段と、ＩＰ電話におけるネットワークホストの役目を行うサーバーが配置されたＩＰ網との間の通信を制御するネットワーク制御手段と、前記サーバーと連携したトランザクション制御にて前記電話機によるＩＰ網経由の通話を実現するＶｏＩＰ制御手段と、契約者回線番号及び追加番号の中から発番号通知に使用する番号を前記電話機毎に設定した発番号通知テーブルとを具備し、前記ＶｏＩＰ制御手段は、発信要求してきた電話機について発番号通知用として登録した番号を前記発番号通知テーブルから取得し、この取得した番号を含んだトランザクション開始リクエストを生成して前記サーバーへ送出するＩＰ電話ゲートウェイ装置である。
【００１０】
このように構成されたＩＰ電話ゲートウェイ装置によれば、契約者回線番号及び追加番号の中から発番号通知に使用する番号を前記電話機毎に設定した発番号通知テーブルを具備し、発信要求してきた電話機の発番号通知用の番号を発番号通知テーブルから取り出してサーバーへ送信するので、発信者番号選択機能を持った構内交換機システムを備えることなく、電話機毎に契約者回線番号又は追加番号のいずれかを発番号通知に使用できる。
【００１１】
なお、ＶｏＩＰ制御手段は、ＲＦＣ２５４３，３２６１に定められたＳＩＰ（Session Initiation Protocol）に従って動作する場合は、前記発番号通知テーブルから取得した番号をＦｒｏｍヘッダに設定したＩＮＶＩＴＥを前記トランザクション開始リクエストとして生成することが望ましい。
【００１２】
本発明の第２の態様は、電話機の送出した発信要求を検出し、契約者回線番号及び追加番号の中から発番号通知に使用する番号を電話機毎に設定した発番号通知テーブルから、今回発信要求してきた電話機の発番号通知用として登録した番号を取得し、この取得した番号を含んだトランザクション開始リクエストを生成し、ＩＰ網上に配置されＩＰ電話におけるネットワークホストの役目を行うサーバーに対して前記トランザクション開始リクエストを送出するＩＰ電話発番号通知方法である。
【００１３】
以下、本発明の一実施の形態であるＩＰ電話ゲートウェイ装置について図面を参照して具体的に説明する。
【００１４】
図１は、ＩＰ電話ゲートウェイ装置の運用構成を示す図である。ＩＰ電話ゲートウェイ装置１００は、複数のアナログ通信機器（アナログ電話機、ファックス、主装置（ＰＢＸ）、ビジネスホン）を接続する回線ポートを有しており、電話機（１）から電話機（ｎ）を接続した状態を示している。また、ＩＰ電話ゲートウェイ装置１００はＩＰ網に接続されており、ＩＰ網上に配置したＣＡ（コールエージェント；プロキシサーバーおよび登録サーバーを含む）サーバー１１と連携して電話機（１）から電話機（ｎ）によるＩＰ網経由の通話を可能にしている。ＣＡサーバー１１とＩＰ電話ゲートウェイ装置１００との間ではＲＦＣ２５４３，３２６１に定められたＳＩＰ（Session Initiation Protocol）に基づいてリクエスト及びレスポンスを交換するものとする。ＩＰ網と電話網との間はゲートウェイ１２によって繋がっている。
【００１５】
図２は、本実施の形態に係るＩＰ電話ゲートウェイ装置の機能ブロック図である。電話制御部１０１は、ＩＰ電話ゲートウェイ装置に接続したアナログ通信機器（アナログ電話機、ファックス、主装置（ＰＢＸ）、ビジネスホン）の電話制御を行う部分である。ＰＳＴＮ回線制御部１０２は、ＰＳＴＮとの間で回線制御を行う部分である。本例では、ＩＰ電話ゲートウェイ装置１００が１回線だけ直接ＰＳＴＮに接続しているものとする。ＩＰ／ＰＳＴＮ切替え部１０３は、電話機がＩＰ網に接続するのかＰＳＴＮに接続するのかを判断して、切り替える部分である。ＬＡＮ側ネットワーク制御部１０４は、ＬＡＮとのインターフェースをとる部分である。ＷＡＮ側ネットワーク制御部１０５は、ＩＰ網側となるＷＡＮとのインターフェースをとる部分である。本例では、ＩＰ電話ゲートウェイ装置１００をローカル側となるＬＡＮに接続可能にしている。また、ＩＰ電話ゲートウェイ装置１００をＡＤＳＬ回線又は光ファイバ回線にてＷＡＮ側となるＩＰ網に接続している。ＶｏＩＰ制御部１０６は、ＳＩＰに基づいたトランザクション制御並びに音声のパケット化等の音声データをインターネットに流すための処理を行っている部分である。サーバー部１０７は、ＤＨＣＰ等のプロトコルに基づいて動作し、例えばＬＡＮ側に接続している端末のアドレス管理等を行う部分である。ＩＰ／ＰＰＰ処理部１０８は、ＬＡＮ及びＷＡＮ（インターネット／イントラネット等）通信で必要なＩＰ及びＰＰＰに関するプロトコル処理を行う部分である。
【００１６】
図３は、以上の機能構成を有するＩＰ電話ゲートウェイ装置１００のハードウエア構成図である。ＣＰＵ／ＤＳＰ１１０に対して内部バスを介してＲＯＭ１１１，ＲＡＭ１１２が接続され、さらに回線Ｉ／Ｆ回路１１３−１，１１３−２、ＮＣＵ（ＤＡＡ）１１４が接続されている。ＣＰＵ／ＤＳＰ１１０は、ＲＯＭ１１１に格納しているプログラムに基づいて後述するＳＩＰインターフェース制御を実行する。また、必要に応じてＲＡＭ１１２を作業用エリアとして使用する。回線Ｉ／Ｆ回路１１３−１、１１３−２は、アナログ通信機器（アナログ電話機、ファックス、主装置（ＰＢＸ）、ビジネスホン）が接続されるポートをそれぞれ２回線備えており、全部で４回線接続可能に構成されている。なお、同時に接続可能な回線数は適宜設計変更可能である。ＮＣＵ（ＤＡＡ）１１４は、図２におけるＰＳＴＮ回線制御部１０２のハードウエア部分である。図２におけるＶｏＩＰ制御部１０６の音声パケット化に関する処理は、ＣＰＵ／ＤＳＰ１１０のＤＳＰ部分で一部ハードウエア化している。
【００１７】
ここで、ＩＰ電話ゲートウェイ装置１００は、契約者回線番号の他に追加番号１−ｎを通信事業者から取得しているものとする。本実施の形態では、ＩＰ電話ゲートウェイ装置１００に接続する電話機毎にいずれかの電話番号を発番号通知用に使用できるように構成している。そのため、ＲＡＭ１１２に発番号通知テーブルを記憶している。
【００１８】
図４は発番号通知テーブルの設定例を示す図である。電話機（１）には契約者回線番号（aa-bbbb-cccc）、電話機（２）には追加番号１（aa-dddd-eeee）、電話機（ｎ−１）には追加番号ｎ−１（aa-hhhh-iiii）、電話機（ｎ）には追加番号ｎ(aa-jjjj-kkkk)をそれぞれ発番号通知に使用する電話番号として設定している(図４上で○が付加されている番号が設定された番号である)。図４の登録例は一例であり、各電話機に対して発信者番号として使用したい番号を契約者回線番号、追加番号の中から任意に選択可能である。発番号通知テーブルの設定はユーザが予め行うものとする。
【００１９】
次に、以上のように構成したＩＰ電話ゲートウェイ装置１００の発信時及び着信時の動作について説明する。なお、本実施の形態において、ＶｏＩＰ制御部１０６がＳＩＰに従った制御を行っている。
【００２０】
図５は、発信から通話までのシーケンスである。図６に当該シーケンスに対応した発信側のフロー図を示し、図７に当該シーケンスに対応した着信側のフロー図を示している。
【００２１】
図５に示すように、発番号通知テーブルに発番号通知用として「契約者回線番号」を設定した電話機１から発信する。電話機１をオフフックして相手先をダイヤルする。発信側のＩＰ電話ゲートウェイ装置１００は、電話機１からの発信要求を検出すると（Ｓ１００）、発番号通知テーブルから発信者である電話機１の発番号通知用の番号を取得する（Ｓ１０１）。発番号通知テーブルから取得した番号を、トランザクション開始リクエストとなるＩＮＶＩＴＥのＦｒｏｍヘッダに設定する（Ｓ１０２）。図８にＩＮＶＩＴＥの記述例を示す。ここでは、契約者回線番号（aa-bbbb-cccc）が発番号通用に選択されているのでその番号を設定する。発信側のＩＰ電話ゲートウェイ１００は、ＣＡサーバー１１に対して上記ＩＮＶＩＴＥを送出する（Ｓ１０３）。
【００２２】
ＣＡサーバー１１は、ＩＮＶＩＴＥを検出すると、レスポンス（１００Ｔｒｙｉｎｇ）を返す。さらに、発信側のＩＰ電話ゲートウェイ装置に対して認証を要求する４０７Ｐｒｏｘｙ  Ａｕｔｈｅｎｔｉｃａｔｉｏｎ Ｒｅｑｕｉｒｅｄにて認証ヘッダを返す。
【００２３】
発信側のＩＰ電話ゲートウェイ装置１００は、１００Ｔｒｙｉｎｇを検出し（Ｓ１０４）、レスポンスである４０７Ｐｒｏｘｙ  Ａｕｔｈｅｎｔｉｃａｔｉｏｎ Ｒｅｑｕｉｒｅｄを検出すると（Ｓ１０５）、ＣＡサーバー１１に対してＡＣＫを返す（Ｓ１０６）。さらに、４０７Ｐｒｏｘｙ  Ａｕｔｈｅｎｔｉｃａｔｉｏｎ Ｒｅｑｕｉｒｅｄで受信した暗号キーを元にアカント情報をデコードした認証ヘッダ付のＩＮＶＩＴＥに設定し（Ｓ１０７）、当該ＩＮＶＩＴＥをＣＡサーバー１１へ送出する（Ｓ１０３）。
【００２４】
ＣＡサーバー１１は、認証ヘッダの設定されたＩＮＶＩＴＥを検出すると、発信側のＩＰ電話ゲートウェイ装置１００に対しては１００Ｔｒｙｉｎｇを返し、認証が正しければ、着信側のＩＰ電話ゲートウェイ装置に対しては発信側から受信したＩＮＶＩＴＥを送出する。
【００２５】
図７に示すように、着信側のＩＰ電話ゲートウェイ装置は、該当電話機が使用可能であるか判断する（Ｓ２００）。着信先の電話機が使用可能であれば、受信したＩＮＶＩＴＥのＦｒｏｍヘッダを確認し（Ｓ２０１）、着信先の電話機に対してＦｒｏｍヘッダに記述している発番号を通知する発信者番号通知処理を実行する（Ｓ２０２）。すなわち、着信先の電話機に対して発番号通知要求（ＣＡＲ）を出力し、一次応答があれば発番号情報を通知する。
【００２６】
着信側のＩＰ電話ゲートウェイ装置は、着信側の電話機から受信完了応答を受信したら、当該着信側の電話機に対して着信要求（１６Ｈｚ）を出して電話機を鳴動させる（Ｓ２０３）。このとき、着信側の電話機は、発番号（aa-bbbb-cccc）をディスプレイに表示させる。
【００２７】
これにより、発信側のＩＰ電話ゲートウェイ装置１００が、発信者（電話機１）の発番号通知用の番号を、着信側の電話機に通知してディスプレイに表示できたことになる。
【００２８】
一方、着信側のＩＰ電話ゲートウェイ装置は、発信側に対して１８０Ｒｉｎｇｉｎｇを送出する（Ｓ２０４）。また、オフフックを検出したら（Ｓ２０５）、着信先の電話機に対して鳴動停止を指示して（Ｓ２０６）、発信側に対して２００ＯＫを送出する（Ｓ２０７）。着信側のＩＰ電話ゲートウェイ装置が送出した１８０Ｒｉｎｇｉｎｇ及び２００ＯＫはＣＡサーバー１１を経由して発信側のＩＰ電話ゲートウェイ装置１００へ渡される。
【００２９】
図６に示すように、発信側のＩＰ電話ゲートウェイ装置１００は、１８０Ｒｉｎｇｉｎｇを受信した場合はステップＳ１０８へ移行して２００ＯＫの受信を待機し、２００ＯＫを受信したらＣＡサーバー１１に対してＡＣＫを返す（Ｓ１０９）。ＡＣＫ送出後はＶｏＩＰ通話処理を開始する（Ｓ１１０）。なお、２００ＯＫを受信できないときはセッション処理を終了する（Ｓ１１１）。
【００３０】
また、発信側のＩＰ電話ゲートウェイ装置１００がステップＳ１０９で送出したＡＣＫはＣＡサーバー１１経由で着信側のＩＰ電話ゲートウェイ装置へ伝えられる。図７に示すように、着信側のＩＰ電話ゲートウェイ装置はＡＣＫを受信すると（Ｓ２０８）、ＶｏＩＰ通話処理を開始する（Ｓ２０９）。なお、ステップＳ２００において着信先の電話機が使用中であった場合は発信側にその旨を伝える使用中処理を実行する（Ｓ２１０）。
【００３１】
どちらか一方がオンフックすることにより終話処理が行われる。図５の例では発信側がオンフックしている。オンフックを検知した発信側のＩＰ電話ゲートウェイ装置１００からＢＹＥが送信されて着信側のＩＰ電話ゲートウェイ装置が受信すると、着信者（電話機）に対してビジートーンを送出する。
【００３２】
以上の説明は発信者が電話機１の場合であったが、他の電話機から発信する場合も、発番号通知テーブルから当該電話機の発番号通知用の番号を取得して、着信先へ通知するので、電話機毎に任意の発番号を着信先の電話機へ通知することになる。
【００３３】
このように本実施の形態によれば、構内交換機システムを備えなくても、ＩＰ電話ゲートウェイ装置１００がテーブル情報にしたがって電話機毎に指定している発番号を認識して着信先へ通知することができる。これにより、ＩＰ電話ゲートウェイ装置に契約者回線番号の他に追加番号を取得している場合に、当該ＩＰ電話ゲートウェイ装置に接続される電話機毎に契約者回線番号の他に追加番号の中から任意の番号を発番号として設定することができる。
【産業上の利用可能性】
【００３４】
本発明は、発信者番号選択機能を持った構内交換機システムを備えることなく、電話機毎に契約者回線番号又は追加番号のいずれかを選択して発番号通知可能であり、ＩＰ電話ゲートウェイ装置及びＩＰ電話発番号通知方法に適用可能である。
【図面の簡単な説明】
【００３５】
【図１】本発明の一実施の形態に係るＩＰ電話ゲートウェイ装置の運用構成を示す図
【図２】一実施の形態に係るＩＰ電話ゲートウェイ装置の機能ブロック図
【図３】上記実施の形態に係るＩＰ電話ゲートウェイ装置のハードウエア構成図
【図４】発番号通知テーブルの設定例を示す図
【図５】上記実施の形態での発信から通話終了までの全体シーケンス図
【図６】上記実施の形態における発番号通知のための発信側のフロー図
【図７】上記実施の形態における発番号通知のための着信側のフロー図
【図８】ＳＩＰのＩＮＶＩＴＥ時の記述例を示す図
【符号の説明】
【００３６】
１００  ＩＰ電話ゲートウェイ装置
１０１  電話制御部
１０２  ＰＳＴＮ回線制御部
１０３  ＩＰ／ＰＳＴＮ切替え部
１０４  ＬＡＮ側ネットワーク制御部
１０５  ＷＡＮ側ネットワーク制御部
１０６  ＶｏＩＰ制御部
１０７  サーバー部
１１０  ＣＰＵ／ＤＳＰ
１１１  ＲＯＭ
１１２  ＲＡＭ
１１３−１，１１３−２  回線Ｉ／Ｆ回路
【図１】
2005236917.tif 000003
【図２】
2005236917.tif 000004
【図３】
2005236917.tif 000005
【図４】
2005236917.tif 000006
【図５】
2005236917.tif 000007
【図６】
2005236917.tif 000008
【図７】
2005236917.tif 000009
【図８】
2005236917.tif 000010